(57)【特許請求の範囲】
【請求項１】
躯体開口部の周囲に固定された下地枠取付け部材と、この下地枠取付け部材を支持部材として躯体開口部の周囲に沿って枠状に取り付けられたサッシ下地枠と、躯体開口部の下部に配置されるサッシ下地枠の上面を設置座面として載置できるように下面側に設置用平面部を形成するためのサッシ取付け用中間枠が設けられるとともに、前記サッシ下地枠によって囲まれた空間内に建て込まれた前記サッシ枠とからなり、前記サッシ下地枠は、本体部の下地枠取付け部材への対向面側に下地枠取付け部材の見込み幅の間隔をおいて一対の脚片を備え、これら脚片によって前記下地枠取付け部材の室内側面および室外側面を挟み込むようにしながら設置し、前記サッシ下地枠を下地枠取付け部材に対してビス固定したことを特徴とするサッシ枠の設置構造。
【請求項２】
少なくとも上部及び両側部において、サッシ下地枠の室外側に取り付けられた押縁と、この押縁とサッシ枠との間に挟入されサッシ枠の固定を図るビードとを含む請求項１記載のサッシ枠の設置構造。
【請求項３】
開口部を形成する躯体内に周囲に沿ってアンカーレール部材が埋設され、このアンカーレール部材に対し前記下地枠取付け部材が固定されている請求項１、２いずれかに記載のサッシ枠の設置構造。
【請求項４】
前記サッシ取付け用中間枠は、下側サッシ枠に対する係止部を備える請求項１〜３いずれかに記載のサッシ枠の設置構造。
【発明の詳細な説明】
【０００１】
【発明の属する技術分野】
本発明は、新築時および改装時に任意型式のサッシの設置および取替えを容易としたサッシ枠取付け構造に関する。
【０００２】
【従来の技術】
従来より、サッシの設置構造といえば、躯体開口部の周面に埋め込まれたアンカー筋に対してアンカー金物を溶接等によって固定し、このアンカー金物に窓枠（サッシ枠）を固定した後、窓枠周囲にコンクリートを充填する方法が専ら採用されていた。
【０００３】
【発明が解決しようとする課題】
しかしながら、従来のサッシ設置構造の場合は、建設時に設計図等に従って所定型式のサッシを設置する形態が採られ、入居者がそれぞれの趣向や生活様式に合わせて任意のサッシ型式にしたいなどの希望に沿えるものではなかった。また、新築時に設置したサッシ型式、たとえば嵌め殺しサッシをその後に、簡単なサッシ工事のみで、引き違いサッシまたは片開きサッシなどの他の型式のサッシに変更したいなどの要求にも簡単に応えることが出来なかった。
【０００４】
近年は、スケルトン・インフィルの思想の下、躯体と内装とを区別し、居住者の生活様式や趣向に合わせて内装を自由に変更したり、レイアウトできるものが強く望まれる傾向にある。
【０００５】
そこで本発明の主たる課題は、施主（居住者）の趣向に応じて任意形式のサッシを設置可能とするとともに、その後の生活様式等の変化に応じて他のサッシ型式に容易に取り替え可能なサッシ枠の設置構造を提供することにある。
【０００６】
【課題を解決するための手段】
前記課題を解決するために請求項１に係る本発明として、躯体開口部の周囲に固定された下地枠取付け部材と、この下地枠取付け部材を支持部材として躯体開口部の周囲に沿って枠状に取り付けられたサッシ下地枠と、躯体開口部の下部に配置されるサッシ下地枠の上面を設置座面として載置できるように下面側に設置用平面部を形成するためのサッシ取付け用中間枠が設けられるとともに、前記サッシ下地枠によって囲まれた空間内に建て込まれた前記サッシ枠とからなり、前記サッシ下地枠は、本体部の下地枠取付け部材への対向面側に下地枠取付け部材の見込み幅の間隔をおいて一対の脚片を備え、これら脚片によって前記下地枠取付け部材の室内側面および室外側面を挟み込むようにしながら設置し、前記サッシ下地枠を下地枠取付け部材に対してビス固定したことを特徴とするサッシ枠の設置構造が提供される。
【０００７】
上記請求項１記載の発明においては、先ず躯体開口部下地枠取付け部材を固定し、これにサッシ下地枠を設けるようにし、サッシをサッシ下地枠によって囲まれる空間内に建て込むようにしたため、建て込まれるサッシ型式を変更するだけで、施主（居住者）の趣向に応じた任意形式のサッシを設置できるようになる。この際、前記サッシ枠の下面には、設置用平面部を形成するためサッシ取付け用中間枠を設けているため、サッシ下地枠に載置するだけで安定し、設置も容易となっている。また、その後のサッシ型式の変更も躯体を破壊することなく、サッシ型式の変更が可能となる。また、サッシ下地枠を下地枠取付け部材に対して水密を図りながら、見栄え良く安定的に支持することが可能となる。
【０００８】
請求項２に係る本発明として、少なくとも上部及び両側部において、サッシ下地枠の室外側に取り付けられた押縁と、この押縁とサッシ枠との間に挟入されサッシ枠の固定を図るビードとを含む請求項１記載のサッシ枠の設置構造が提供される。
【０００９】
上記請求項２記載の本発明においては、サッシ下地枠の室外側に取り付けられた押縁と、この押縁とサッシ枠との間に挟入されサッシ枠の固定を図るビードとによりサッシ枠を固定するようにしたため、サッシ型式の変更作業が容易化するようになる。
【００１０】
請求項３に係る本発明として、開口部を形成する躯体内に周囲に沿ってアンカーレール部材が埋設され、このアンカーレール部材に対し前記下地枠取付け部材が固定されている請求項１、２いずれかに記載のサッシ枠の設置構造が提供される。
【００１１】
上記請求項３記載の発明においては、躯体内にアンカーレールを埋設しておき、これに下地枠取付け部材を固定するようにしたため、サッシ下地枠の位置調整が簡素化されるようになる。
【００１２】
請求項４に係る本発明として、前記サッシ取付け用中間枠は、下側サッシ枠に対する係止部を備える請求項１〜３いずれかに記載のサッシ枠の設置構造が提供される。
【００１３】
上記請求項４記載の発明によれば、サッシ取付け用中間枠を下側サッシ枠に対して一体的に組み付けることができ、サッシ設置作業が簡略化するようになる。
【００１４】
【発明の実施の形態】
以下、本発明の実施の形態について図面を参照し、かつ施工手順に従いながら詳述する。
【００１５】
〔第１形態例〕
図１は本発明の第１形態例に係る引き違いサッシ１Ａの内観図であり、図２は図１のII−II線矢視図、図３は図１のIII−III線矢視図である。
【００１６】
図１に示されるサッシ内観図から分かるように、本発明に係る引き違いサッシ１Ａは、躯体に対する取付け構造は従来とは全く異なるけれども、外観的には従来のサッシと同様の外観を成すようになっている。
【００１７】
図２および図３に示されるように、本サッシ構造では、躯体開口部２の周囲に対して先ず、断面Ｃ字状の溝型鋼３Ａ〜３Ｄ（以下、下地枠取付け部材という。）がアンカーボルト４，４…等の定着具によって固定される。固定に当たっては、アンカーボルト４の定着作業ができるように溝型鋼の開口溝を開口部内方側に向けた状態で配向し、かつ位置調整および不陸調整等のために躯体Ｈと前記下地枠取付け部材３Ａ〜３Ｄとの間にライナー５，５…を介在させるようにする。前記下地枠取付け部材３Ａ〜３Ｄはガラス重量を支え、かつ風圧を支持する強度部材であり、所定の断面剛性を有する鋼部材やアルミ押出し材などが使用される。また、取付け精度を上げるため及び力の伝達性を上げるため通し部材（枠状に連続）とするのが望ましい。前記下地枠取付け部材３Ａ〜３Ｄとしては、外周四面に平面を確保できる部材であれば良く、たとえば前記断面Ｃ字状溝形鋼以外に、アンカーボルト設置部位にハンドホールを形成した方形状断面の鋼部材であってもよい。
【００１８】
開口部の周囲を囲むように前記下地枠取付け部材３Ａ〜３Ｄの固定を終えたならば、次に下地枠取付け部材３Ａ〜３Ｄを支持部材として前記下地枠取付け部材３Ａ〜３Ｄの開口側面に枠状にサッシ下地枠６、６…、７を取り付ける。
【００１９】
上部および両側部に配置されるサッシ下地枠６は、本体板部６ａの上面側に下地枠取付け部材３Ａの見込み幅の間隔をおいて一対の脚片６ｂ、６ｃを備えるとともに、下面の室内側にＬ字状起立片６ｄを有し、かつ室外側に延在する水平突出片６ｅにはＬ字片６ｆおよび爪片６ｇからなる押縁取付け部が形成されている。前記起立片６ｄは、先端部に定形シール材１０を保持し、サッシ上枠の室内側面に接触することにより気水密性を確保するようになっている。取付けは、前記脚片６ｂ、６ｃにより下地枠取付け部材３Ａの室内側面および室外側面を夫々挟み込むようにして水密を図りながら、前記脚片６ｂを貫いて下地枠取付け部材３Ａに螺入されるビス９および本体板部６ａを貫いて下地枠取付け部材３Ａに螺入されるビス９によって固定を図るようにする。
【００２０】
一方、下部に配置されるサッシ下地枠７は、矩形中空断面の本体部７ａの下面側に下地枠取付け部材３Ｂの見込み幅の間隔をおいて一対の脚片７ｂ、７ｃを備えるとともに、上面の室内側にＬ字状起立片７ｄを有し、かつ室外側に延在する突出片７ｆの上面側にサッシ枠固定用起立片７ｅが形成されている。前記Ｌ字状起立片７ｄは、先端部に定形シール材１０を保持し、サッシ下枠の室内側面に接触することにより気水密性を確保するようになっている。取付けは、前記脚片７ｂ、７ｃにより下地枠取付け部材３Ｂの室内側面および室外側面を挟み込むようにして水密を図りながら、前記脚片７ｂを貫いて下地枠取付け部材３Ｂに螺入されるビス９および脚片７ｃを貫いて下地枠取付け部材３Ｂに螺入されるビス９によって固定を図るようにする。
【００２１】
一方、上枠１１Ａ、下枠１１Ｂおよび側枠１１Ｃ、１１Ｄからなるサッシ枠１１側においては、前記下枠１１Ｂに対し、サッシ下地枠７の上面（平面）を設置座面としてサッシ枠１１を載置できるように、サッシ枠の下面側に設置用平面部を形成するためサッシ取付け用中間枠８を取付けるようにする。このサッシ取付け用中間枠８は、下面側が平らな平板部８ａと、室外側および室内側にそれぞれサッシ下枠１１Ｂの立ち上がり係止部８ｂ、８ｃを有する。なお、図示例では前記立ち上がり係止部８ｂ、８ｃの高さは夫々異なっている。この立ち上がり係止部８ｂ、８ｃの高さは既存サッシに合わせて設定されるものである。
【００２２】
ここまでの作業が完了したならば、室外側障子１２Ａおよび室内側障子１２Ｂ（ガラス無し）が建て込まれた前記サッシ枠１１をサッシ下地枠６，６…、７によって周囲が囲まれた空間内に設置するとともに、サッシ下地枠６，６…の室外側に押縁１４，１４…を取付ける。そして、サッシ下枠１１Ｂについては、室内外方向に重ね合わされたサッシ下枠１１Ｂから垂下する垂下片１１ｂと、サッシ下地枠７のサッシ枠固定用起立片７ｅとにビス１３を螺入して固定するとともに、上部および両側部において、押縁１４と上枠１１Ａ、側枠１１Ｃ、１１Ｄとの間にビード１５を挟入しサッシ枠１１の固定を図るようにする。また、上部および側部において、躯体Ｈとの間隙部分にバックアップ材１６およびシール材１７を施工する。また、下部側においては、サッシ下地枠７の室外側面に水切り１８をビス固定するとともに、所定部位にバックアップ材１９、２１およびシール材２０，２２を施工する。以上の作業を完了したならば、前記室外側障子１２Ａおよび室内側障子１２ＢにガラスＧを嵌め込んで施工を完了する。
【００２３】
〔第２形態例〕
図４に示される本第２形態例では、前記引き違いサッシ１Ａに代えて、嵌め殺しサッシ１Ｂを設置した場合の例である。基本的構造は前記第１形態例と全く同様であるため同符号を付して説明は省略するが、本第２形態例では嵌め殺しサッシの下枠３０Ｂの断面形状に合わせたサッシ取付け用中間枠８’、すなわち室外側および室内側に形成された係止部８'ｂ、８'ｃの高さが同一とされるサッシ取付け用中間枠８’が使用されている。
【００２４】
〔第３形態例〕
次いで、図５および図６に示される第３形態例では、下地枠取付け部材３Ａ〜３Ｄの固定態様が前記第１及び第２形態例とは異なっている。
【００２５】
本第３形態例では、予め躯体開口部２の周面に対して、前記下地枠取付け部材３Ａ〜３Ｄを取り付けるためのアンカーレール部材２３Ａ〜２３Ｄが躯体に埋設された状態で設置され、このアンカーレール部材２３Ａ〜２３Ｄに対して下地枠取付け部材３Ａ〜３Ｄが固定される。前記アンカーレール部材２３Ａ〜２３Ｄは、下地枠取付け部材３Ａ〜３Ｄと同様に、裏面側（躯体側）に定着金物２３ａを備える断面Ｃ字状の溝型鋼が使用され、下地枠取付け部材３Ａ〜３Ｄとの間には１または複数枚のライナー５，５…が介在された状態で固定される。固定方法は、前記アンカーレール部材２３Ａ〜２３Ｄの内空側に開口部リップ片２３ｂ、２３ｃに跨る定着板２６を配設するとともに、この定着板２６、ライナー５，５…および下地枠取付け部材３Ａ〜３Ｄの底板を貫通するようにボルト２４を配設し、ナット２５により締着するようにする。この際、前記ボルト通孔を長孔とするとともに、前記下地枠取付け部材３Ａ〜３Ｄの底板面に波形部３ａを形成しておき、ギザワッシャ２７の波形部とを噛み合わせるようにすれば、下地枠取付け部材３Ａ〜３Ｄの室内外方向の滑りを防止できるようになる。
【００２６】
前記下地枠取付け部材３Ａ〜３Ｄの固定に際し、かかる構成を採る場合には、サッシ建込み時に、作業的に面倒なアンカーボルト４の設置手間がなくなるとともに、位置調整が容易に行えるようになる。
【００２７】
上記アンカーレール部材２３Ａ〜２３Ｄを躯体施工時に埋設し、これに下地枠取付け部材３Ａ〜３Ｄを固定する点以外は、前記第１及び第２形態例と同様であるため、同符号を付して説明は省略する。
【００２８】
〔第４形態例〕
図７〜図９に示される第４形態例は、サッシ型式を外開き窓１Ｃとした場合の例を示したものである。同図に示されるように、サッシ型式が異なっても、第１形態例と全く同様の部材を使用し、かつ同じ要領によって外開き窓用サッシ枠３１を建込むようにすればよい。なお、サッシ取付け用中間枠としては、サッシの下枠３１Ｂの断面形状に合わせて、室外側および室内側に形成された係止部８'ｂ、８'ｃの高さが同一とされるサッシ取付け用中間枠８’が使用されている。
【００２９】
その他の構造は、前記第１及び第２形態例と同様であるため、同符号を付して説明は省略する。
【００３０】
〔第５形態例〕
最後に、図１０および図１１に示される第５形態例に係るサッシは連窓サッシ１Ｄに対する対応例を示したものである。
【００３１】
躯体開口部２に対して下地枠取付け部材３Ａ〜３Ｄをアンカーボルト４，４…で固定し、前記下地枠取付け部材３Ａ〜３Ｄにサッシ下地枠６，６…、７を取付けるとともに、サッシにサッシ取付け用中間枠８（８’）を取付け、前記サッシ枠１１をサッシ下地枠６，６…、７によって周囲が囲まれた空間内に設置し、押縁１４，１４…を取り付けた後、ビス１３およびビード１５によってサッシ枠の固定を図る点は同様であるが、本連窓では中間に方立本体３２Ａと室内側連結板３２Ｂとからなる方立３２を建込み、サッシ下地枠６，６…、７によって囲まれる空間を２分割し、それぞれの空間部分にサッシ枠３３，３４を建て込むようにする。なお、図示例では一方側を外開き窓型式とし、他方側を嵌め殺し窓型式としているが同型式のサッシを建て込むようにしてもよい。
【００３２】
【発明の効果】
以上詳説のとおり本発明によれば、施主（居住者）の趣向に応じて任意形式のサッシが設置可能になるとともに、その後の生活様式等の変化に応じて他のサッシ型式に容易に取り替えが可能となる。
【図面の簡単な説明】
【図１】  本発明の第１形態例に係る引き違いサッシ１Ａの内観図である。
【図２】  図１のII−II線矢視図（縦断面図）である。
【図３】  図１のIII−III線矢視図（横断面図）である。
【図４】  第２形態例に係るサッシ型式を嵌め殺しサッシとした場合の縦断面図である。
【図５】  第３形態例に係るサッシ設置構造の縦断面図である。
【図６】  その横断面図である。
【図７】  第４形態例に係る外開きサッシの内観図である。
【図８】  図７のVIII−VIII線矢視図（縦断面図）である。
【図９】  図７のIX−IX線矢視図（横断面図）である。
【図１０】  第５形態例に係る連窓サッシの内観図である。
【図１１】  図１０のXI-XI線矢視図（横断面図）である。
【符号の説明】
１Ａ…引き違いサッシ、１Ｂ…嵌め殺しサッシ、１Ｃ…外開きサッシ、１Ｄ…連窓サッシ、２…躯体開口部、３Ａ〜３Ｄ…下地枠取付け部材、４…アンカーボルト、５…ライナー、６…サッシ下地枠（上部および両側部）、７…サッシ下地枠（下部）、８・８’…サッシ取付け用中間枠、９…ビス、１０…定形シール材、１１・３０・３１・３３・３４…サッシ枠
【図１】
0003719964.tif 000002
【図２】
0003719964.tif 000003
【図３】
0003719964.tif 000004
【図４】
0003719964.tif 000005
【図５】
0003719964.tif 000006
【図６】
0003719964.tif 000007
【図７】
0003719964.tif 000008
【図８】
0003719964.tif 000009
【図９】
0003719964.tif 000010
【図１０】
0003719964.tif 000011
【図１１】
0003719964.tif 000012